(57)【要約】【課題】電子情報での出力、あるいは紙での出力のどちらでもページ順通りに出力することができるように原稿の読取面を選択可能にした画像読取装置を提供する。【解決手段】積載された原稿を単位枚数ずつ順次搬送する搬送手段と、前記搬送手段によって搬送された原稿の第一面の画像を読み取る第一の読取手段と、前記第一面の裏側である第二面の画像を読み取る第二の読取手段と、原稿の第一面及び第二面のどちらを読み取るかを選択する選択手段とを備え、前記選択手段で選択された読取面に応じて、前記第一または前記第二の読取手段で原稿を読み取る。【選択図】        図７
2004320224.tif 000002
【特許請求の範囲】
【請求項１】
積載されたｎ枚の原稿を順次搬送する搬送手段と、
前記原稿の下面の画像を読み取る第一の読取手段と、
前記原稿の上面の画像を読み取る第二の読取手段と、
前記第一又は第二の読取手段のいずれか一方により前記原稿の片面画像のみを読み取る場合に、読取画像情報の出力形態に応じて前記第一又は第二の読取手段のいずれかを選択する選択手段と、
を有する
ことを特徴とする画像読取装置。
【請求項２】
前記選択手段は、外部装置に対して読取画像情報を読取順で出力する場合には、前記原稿のページ順に前記原稿を読み取るように前記第一又は第二の読取手段を選択し、読取画像を記録媒体上に形成する画像形成装置に対して読取画像情報を読取順で出力する場合には、前記原稿のページの逆順に前記原稿を読み取るように前記第一または第二の読取手段を選択することを特徴とする請求項１記載の画像読取装置。
【請求項３】
前記搬送手段は、最下部に積載されたｎ枚目の原稿から順次搬送し、前記選択手段は、外部装置に対して読取画像情報を読取順で出力する場合には、前記搬送手段に読取面を下にして積載された原稿下面を読み取らせるように前記第一の読取手段を選択し、読取画像を読取順で記録媒体上に形成して記録済の前記記録媒体を順次下方から上方に積載する画像形成装置に対して読取画像情報を読取順で出力する場合には、前記搬送手段に読取面を上にして積載された原稿上面を読み取らせるように前記第二の読取手段を選択することを特徴とする請求項２記載の画像読取装置。
【請求項４】
読取画像を記録媒体上に形成して出力する画像形成手段を有し、前記選択手段は、外部装置に対して読取画像情報を読取順で出力する場合には、前記原稿のページ順に前記原稿を読み取るように前記第一又は第二の読取手段を選択し、前記画像形成手段により読取画像を読取順で記録媒体上に形成して出力する場合には、前記原稿のページの逆順に前記原稿を読み取るように前記第一または第二の読取手段を選択することを特徴とする請求項１記載の画像読取装置。
【請求項５】
前記搬送手段は、最下部に積載されたｎ枚目の原稿から順次搬送し、前記画像形成手段は、読取画像を読取順で記録媒体上に形成して記録済の前記記録媒体を順次下方から上方に積載し、前記選択手段は、外部装置に対して読取画像情報を読取順で出力する場合には、前記搬送手段に読取面を下にして積載された原稿下面を読み取らせるように前記第一の読取手段を選択し、前記画像形成手段により読取画像を記録媒体上に読取順で形成して出力する場合には、前記搬送手段に読取面を上にして積載された原稿上面を読み取らせるように前記第二の読取手段を選択することを特徴とする請求項４記載の画像読取装置。
【請求項６】
前記選択手段により選択されている第一又は第二の読取手段に対応した前記原稿の積載方向を表示する表示手段をさらに有することを特徴とする請求項１乃至５記載の画像読取装置。
【請求項７】
積載されたｎ枚の原稿を順次搬送する搬送手段と、前記原稿の下面の画像を読み取る第一の読取手段と、前記原稿の上面の画像を読み取る第二の読取手段とを有する画像読取装置により原稿の画像を読み取る画像読取方法であって、
前記第一又は第二の読取手段のいずれか一方により前記原稿の片面画像を読み取る場合に、読取画像情報の出力形態に応じて前記第一又は第二の読取手段のいずれか一方を選択する選択ステップを有することを特徴とする画像読取方法。
【請求項８】
積載されたｎ枚の原稿を順次搬送する搬送手段と、前記原稿の下面の画像を読み取る第一の読取手段と、前記原稿の上面の画像を読み取る第二の読取手段とを有する画像読取装置の制御プログラムであって、
前記第一又は第二の読取手段のいずれか一方により前記原稿の片面画像を読み取る場合に、読取画像情報の出力形態に応じて前記第一又は第二の読取手段のいずれか一方を選択する選択ステップを有することを特徴とするコンピュータで読み取り可能な制御プログラム。
【発明の詳細な説明】
【０００１】
【発明の属する技術分野】
本発明は、多機能周辺機器（ＭＦＰ：Ｍｕｌｔｉ  Ｆｕｎｃｔｉｏｎ  Ｐｅｒｉｐｈｅｒａｌ）等に搭載される画像読取装置及び画像読取方法及び制御プログラムに関する。
【０００２】
【従来の技術】
従来、１つのイメージセンサで片面読取を行い、複写した記録紙をフェースアップで排出する複写機では、コピーされた記録紙のページ順を揃えるために、原稿の読取を最終ページから逆順に読み取る構成となっている（例えば、特許文献１，２参照）。
【０００３】
また、原稿の表裏両面をそれぞれ独立のイメージセンサ２つで読み取る画像読取装置では、原稿搬送装置（ＡＤＦ：ａｕｔｏ  ｄｏｃｕｍｅｎｔ  ｆｅｅｄｅｒ）で原稿を搬送して原稿の画像情報を読み取る際に、片面原稿を読み取る場合は原稿台ガラス上に置かれた原稿を読み取る第１のイメージセンサで原稿表面を走査してページの正順に画像データを取得し、両面原稿を読み取る場合には、原稿片面読取用の第１のイメージセンサで原稿表面を走査し、原稿裏面読取用の第２のイメージセンサで原稿裏面を走査してページ順の画像情報を得ていた（例えば、特許文献３参照）。
【０００４】
【特許文献１】
特開２０００−１８８６６６号公報
【特許文献２】
特開２００１−３２０５５１号公報
【特許文献３】
特開２００２−１９９１８１号公報
【０００５】
【発明が解決しようとする課題】
しかしながら、上述の１つのイメージセンサを用いた複写機にパソコン等の外部機器との通信機能を付加してＭＦＰとした場合、コピーの場合は正順に印刷できるが、読み取ったイメージデータを電子情報として得る場合には、ページが逆順のデータとなってしまう。
【０００６】
また、原稿の表裏両面をそれぞれ独立のイメージセンサ２つで読み取る画像読取装置では、片面原稿読取用の第１イメージセンサを原稿台上に固定した原稿を読み取るイメージセンサとして使用するが、印字紙をフェースアップで排紙するプリンタ部と組み合わせて構成されたＭＦＰで読み取った原稿を複写する場合や、画像読取装置で読み取った画像情報を別のフェースアップのプリンタに伝送して印字する場合に、画像読取装置でページ順に読み取った画像を読み取った順番にプリントすると、プリントされた出力紙はページが逆順に積載されてしまう。
【０００７】
本発明は上記従来の問題点に鑑み、電子情報での出力、あるいは紙での出力のどちらでもページ順通りに出力することができるように原稿の読取面を選択可能にした画像読取装置を提供することを目的とする。
【０００８】
【課題を解決するための手段】
上記目的を達成するために、積載されたｎ枚の原稿を順次搬送する搬送手段と、前記原稿の下面の画像を読み取る第一の読取手段と、前記原稿の上面の画像を読み取る第二の読取手段と、前記第一又は第二の読取手段のいずれか一方により前記原稿の片面画像のみを読み取る場合に、読取画像情報の出力形態に応じて前記第一又は第二の読取手段のいずれかを選択する選択手段とを有することを特徴とする。
【０００９】
【発明の実施の形態】
以下、本発明の実施の形態を図面に基づいて説明する。
【００１０】
［第１実施形態］
＜ＭＦＰ装置の構成＞
図１は、本発明の第１実施形態に係る画像読取装置を搭載したＭＦＰ装置の概略構成を示す概観図である。
【００１１】
このＭＦＰ装置は、画像形成装置１と、画像形成装置１の上に配置された画像読取装置２と、画像読取装置２の前面に配置された操作パネル３とを備えている。
【００１２】
＜画像読取装置２の構成＞
図２は、図１に示した画像読取装置２の構成を示す断面図である。
【００１３】
この画像読取装置２は、原稿台ガラス２５の上部に、原稿設置台２６及び給紙部２９等から成るＡＤＦが搭載され、読み取り動作は制御基板２７によって制御されるようになっている。
【００１４】
画像読取装置２のシートスルーモード読み取り時に原稿Ｐの上面を読み取る第２の光学ユニット２２及び搬送系は、給紙部２９内に配置されており、原稿設置台２６と一体となって原稿台ガラス２５の上部に設置され、本体奥側に配置されたヒンジで開閉できるように構成されている（ＡＤＦ）。
【００１５】
原稿設置台２６上に表を下に向けて載せられた原稿は、不図示のピックアップローラによってピックアップされ、不図示の分離機構によって最も下の原稿だけが分離される。分離給紙された原稿は、搬送ローラ２３によって矢印方向に搬送され、原稿読み取り位置を通過した後、排紙ローラ２４によって矢印の方向に排紙されるようになっている。
【００１６】
第１の光学ユニット２１は、原稿の下を向いた面の画像情報を読むためのＣＣＤ等の第１のリニアイメージセンサを有する光学ユニットで、不図示のモータによって図２の左右方向に稼動可能に構成されており、シートスルーモードでは、図２に示す位置に固定されて、原稿台ガラス２５を通して原稿の表面の画像情報を読み取る。また、第２の光学ユニット２２は、原稿の上を向いた面の画像情報を読むためのＣＣＤ等の第２のリニアイメージセンサを有する光学ユニットで、第１の光学ユニット２１と原稿搬送路を挟んで反対側の位置に固定して配置されている。この２つの光学ユニット２１，２２によって、原稿の下面及び上面を片面づつ、または上下両面を一度に読み取ることもできるように構成されている。
【００１７】
＜光学ユニットの内部構造＞
図３は、図２に示した光学ユニット２１または２２の内部構造を示す断面図であり、第１と第２の光学ユニット２１，２２は同様な構造をしている。
【００１８】
３１は原稿面を照射する光源であり、３２は原稿面の照度をアップさせるための反射板である。光源３１からの照射光と反射板３２で反射された反射光により原稿を照射し、その反射光が反射ミラー３３，３４，３５，３６，３７でそれぞれ反射して、レンズ３８でラインイメージセンサ３９上に結像し、１ラインの画像情報が得られる。
【００１９】
フラットベットモードで原稿を読み取る場合には、ヒンジを回転中心としてＡＤＦを手前に開けて、原稿を原稿台ガラス２５に載せてＡＤＦを閉め、ＡＤＦで原稿を挟んで読み取るようになっている。第１の光学ユニット２１は、レール２８上を不図示のモータにより駆動され、矢印の方向に移動しながら、原稿台ガラス２５に積載された原稿表面のライン画像情報を順次読み取り、原稿表面の２次元画像情報を得る。
【００２０】
＜画像形成装置１の構成及び動作＞
次に、画像形成装置１の構成及び動作の概要を説明する。
【００２１】
図４は、図１に示した画像形成装置１の概略構成を示す断面図である。
【００２２】
画像形成装置１の下部には、記録紙を積載した給紙カセット１３１、１３５が装着されている。給紙カセット１３１、１３５の給紙側の上方には、最上位の記録紙から順次搬送路給紙を行うための給紙ローラ１２４、１３４がそれぞれ配置されている。
【００２３】
今、給紙カセット１３１から給紙される場合を説明する。給紙ローラ１２４によって給紙カセット１３１から１枚だけ分離されて搬送路に給紙された記録紙は、搬送ローラ１１９、１１８、１１５によってセンサ１２７の位置まで搬送される。このセンサ１２７は、記録紙の先端位置と露光光源であるレーザスキャナ１０４の発光タイミングとを同期させ、記録紙の所定位置から画像の描き出しを行うために配置されたものである。
【００２４】
表面に画像が形成される感光ドラム（感光体）１１０は、プロセスカートリッジ１２０内に、現像器１０９、不図示の帯電器及びクリーニング装置等と共に一体的にユニット化されている。この感光ドラム１１０は、その表面が帯電器によって一様に帯電された後、レーザスキャナ１０４から発光されてポリゴンミラー１０５、ミラー１０８を介して感光ドラム１１０に至るレーザ光によって露光され、静電潜像が形成される。感光ドラム１１０上に形成された静電潜像は、現像器１０９によってトナーが付着されてトナー像となり、このトナー像が感光ドラム１１０と転写ローラ１１７との間を通過する記録紙に転写される。
【００２５】
トナー像が転写された記録紙は、搬送ローラ１１６によって搬送ガイドに沿って定着器（定着部）１２６に搬送される。定着器１２６は、不図示のヒータによって加熱された定着ローラ１１１ａと、これに圧接された加圧ローラ１１１ｂを有し、両ローラ１１１ａ、１１１ｂのニップ部を記録紙が通過する際に、記録紙上のトナー像を加熱加圧して記録紙に固着する。
【００２６】
片面のみの印字、及び両面印字の２面目の印字動作を行う場合は、フラッパ１２２が図中の実線と破線うち実線で示す位置に制御されて、定着器１２６を通過した記録紙を排紙ローラ対１１２に導き、排紙トレイ１１３上に排紙する。
【００２７】
両面印字の１面目の印字動作を行う場合は、フラッパ１２２と１２３がそれぞれ図中の破線で示された位置に制御されて、定着器１２６を通過した記録紙を搬送ローラ１２５で一時搬送路に搬送する。記録紙の後端がフラッパ１２３を通過した後、フラッパ１２３を破線の向きにし、搬送ローラ１２５を反転してスイッチバック動作により、記録紙の後端から反対向きに搬送ローラ１２８に導く。搬送ローラ１２８で搬送された記録紙は、すでに印字された面が下、未印字面が上を向いて搬送ローラ１２９に導かれ、搬送ローラ１３０の直前まで搬送されて一旦停止する。
【００２８】
その後、２面目の印刷動作時は、搬送ローラ１３０、１１８、１１５によってで片面印字済みの記録紙をセンサ１２７の位置まで搬送し、１面目印字と同じシーケンスで２面目のトナー像が記録紙上に形成され、定着器１２６で記録紙上のトナー像を加熱加圧して記録紙に固着する。定着器１２６を通過し、両面にトナー像が形成固着された記録紙は、フラッパ１２２が図中実線で示された位置に制御されて、排紙ローラ対１１２に導かれ、排紙トレイ１１３上に排紙される。
【００２９】
＜第１実施形態の動作＞
次に、本実施形態に関わる動作について、図５及び図６のフローチャートを用いて説明する。
【００３０】
Ｉ．片面原稿を読み取って記録紙にコピーする場合の動作
今、ＡＤＦに３枚の片面原稿をセットし、これを読み取って記録紙にコピーする場合を想定する。
【００３１】
ユーザは、図７（ａ），（ｂ）に示す操作パネル３上のコピーモード指定キー３０２を押下し、ＭＦＰのモードをコピーモードに指定する（ステップＳ１１，Ｓ１２）。コピーモードが指定されると、現在のモードがコピーモードであることが表示部３０１上に表示される。それと共に、ＡＤＦを用いる場合には原稿を表向きにセットする案内が表示部３０１に表示される（ステップＳ１３）。このときの操作パネル３の表示状態を図７（ａ）に示す。
【００３２】
原稿がＡＤＦにセットされ、スタートキー３０５が押下されると（ステップＳ１４）、ＡＤＦの最下部の原稿がピックアップされて原稿読取位置に搬送され、第２の光学ユニット２２で原稿の上向き面の画像情報が読み取られる。最初の原稿の読み取りが終了すると、続いて、２枚目、３枚目の原稿が給紙されて、同様に順次読み取られる（ステップＳ１５，Ｓ１６）。このときの原稿の積載状態と読取順番の説明図を図８（ａ）に示す。図中の白抜きの矢印Ｗ１は原稿の搬送方向を示し、黒矢印Ｗ２は光学ユニット２２の読み取る原稿面を示している。
【００３３】
このように順番に読み取られた原稿画像のイメージファイルは、図９に示すように、３ページ目の原稿画像情報が先頭で、続いて２ページ目の原稿画像情報、１ページ目の原稿画像情報の順となる。
【００３４】
読み取られた原稿画像情報は、画像形成装置１に転送され（ステップＳ１７）、まず最初に３ページ目の原稿画像情報が記録紙上に形成され、印字面が上を向いて排紙トレイ１１３上に排出される。続いて、２ページ目の原稿画像情報が記録紙上に形成され、同様に、排紙トレイ１１３上にすでに排出されている３ページ目の原稿画像情報がコピーされた記録紙の上に排出される。同様に１ページ目の原稿画像情報が記録紙上に形成され、排紙トレイ１１３上にすでに排出されている２ページ目の原稿画像情報がコピーされた記録紙の上に排出される（ステップＳ１８，ステップＳ１９）。
【００３５】
こうしてコピーされた印字紙は、図１０に示すように印字面が上を向き、上から順に１ページ、２ページ、３ページとページ順に正しく並んで排紙トレイ１１３上に積載される。
【００３６】
ＩＩ．片面原稿を読み取ってネットワークを介して配信する場合の動作
次に、ＡＤＦに３枚の片面原稿をセットしてこれを読み取り、読み取った画像情報を電子ファイルとしてネットワークを介してパソコン（ＰＣ）に配信する場合について説明する。
【００３７】
ユーザは、図７（ａ），（ｂ）に示す操作パネル３上のドキュメント配信モード指定キー３０４を押下し、ＭＦＰ装置のモードをドキュメント配信モードに指定する（ステップＳ１２）。
【００３８】
ドキュメント配信モードが指定されると、現在のモードがドキュメント配信モードであることが表示部３０１上に表示される。それと共に、ＡＤＦを用いる場合には原稿を裏向きにセットする案内が表示部３０１に表示される（ステップＳ２０）。このときの操作パネル３の表示状態を図７（ｂ）に示す。
【００３９】
配信先のアドレスが表示部３０１上に設けられたタッチパネルから入力され、原稿がＡＤＦにセットされてスタートキー３０５が押下されると（ステップＳ２１）、ＡＤＦの最下部の原稿がピックアップされて原稿読取位置に搬送され、第１の光学ユニット２１で原稿の下向き面の画像情報が読み取られる。最初の原稿の読み取りが終了すると、続いて、２枚目、３枚目の原稿が給紙されて、同様に順次読み取られる（ステップＳ２２，Ｓ２３）。
【００４０】
このときの原稿の積載状態と読取順番の説明図を図８（ｂ）に示す。図中の白抜きの矢印Ｗ３は原稿の搬送方向を示し、黒矢印Ｗ４は光学ユニット２１の読み取る原稿面を示している。
【００４１】
このように順番に読み取られた原稿画像のイメージファイルは、図９（ｂ）に示すように、１ページ目の原稿画像情報から順にページ順に並ぶ。読み取られた原稿画像情報は、原稿の画像情報がページ順に並んだ電子ファイル情報として、ネットワークを介して配信先アドレスで指定したＰＣへ配信される（ステップＳ２４，Ｓ２５）。
【００４２】
ＩＩＩ．両面原稿を読み取って記録紙に片面コピーする場合の動作
次に、ＡＤＦに３枚の両面原稿をセットし、この６ページの原稿情報を読み取って片面ずつ６枚の記録紙にコピーする場合を説明する。
【００４３】
ユーザは、図７（ａ），（ｂ）に示す操作パネル３上のコピーモード指定キー３０２を押下し、ＭＦＰ装置のモードをコピーモードに指定する（ステップＳ３１）。コピーモードが指定されると、現在のモードがコピーモードであることが表示部３０１上に表示される。それと共に、ＡＤＦを用いる場合には原稿を表向き（上向き）にセットする案内が表示部３０１に表示される（ステップＳ３２）。このときの操作パネル３の表示状態を図７（ａ）に示す。
【００４４】
次に、両面から片面へのコピーモードが選択され、原稿がＡＤＦにセットされる。このときの原稿のセット状態と読取順番の説明図を図１１に示す。図中の白抜きの矢印Ｗ５は原稿の搬送方向を示し、黒矢印Ｗ６，Ｗ７は光学ユニット２１，２２の読み取る原稿面を示している。
【００４５】
続いてスタートキー３０５が押下されると（ステップＳ３３）、ＡＤＦの最下部の原稿がピックアップされて原稿読取位置に搬送され、第１の光学ユニット２１で原稿の下向きの面（６ページ）の画像情報が読み取られ、第２の光学ユニット２２で原稿の上向きの面（５ページ）の画像情報が読み取られる（ステップＳ３４）。
【００４６】
読み取られた原稿画像情報は、画像形成装置１に転送され（ステップＳ３５）、まず最初に第１の光学ユニット２１で読み取った原稿の下向きの面（６ページ）の画像情報が記録紙上に形成され、印字面が上を向いて排紙トレイ１１３上に排出される。続いて、第２の光学ユニット２２で読み取った原稿の上向きの面（５ページ）の画像情報が記録紙上に形成され、印字面が上を向いて排紙トレイ１１３上に排出される（ステップＳ３６）。
【００４７】
そして、次の原稿がピックアップされて原稿読取位置に搬送され、同様に読み取られて４ページ目、３ページ目が印字されて排紙トレイ１１３上に排出される。同様にして、２ページ、１ページが順に排紙トレイ１１３上に排出される（ステップＳ３７）。
【００４８】
こうしてコピーされた印字紙は、印字面が上を向き、上から順に１ページ目から６ページ目までページ順に正しく並んで排紙トレイ１１３上に積載される。
【００４９】
ＩＶ．両面原稿を読み取って記録紙の両面にコピーする場合の動作
次に、ＡＤＦに３枚の両面原稿をセットして、この６ページを読み取って記録紙の両面にコピーする場合を説明する。
【００５０】
ユーザは、図７（ａ），（ｂ）に示す操作パネル３上のコピーモード指定キー３０２を押下し、ＭＦＰ装置のモードをコピーモードに指定する（ステップＳ４１）。コピーモードが指定されると、現在のモードがコピーモードであることが表示部３０１上に表示される。それと共に、ＡＤＦを用いる場合には原稿を表向き（上向き）にセットする案内が表示部３０１に表示される（ステップＳ４２）。このときの操作パネル３の表示状態を図７（ａ）に示す。
【００５１】
両面から両面へのコピーが選択され、原稿が図１１に示す状態でＡＤＦにセットされ、スタートキー３０５が押下されると（ステップＳ４３）、ＡＤＦの最下部の原稿がピックアップされ原稿読取位置に搬送され、第１の光学ユニット２１で原稿の下向きの面（６ページ）の画像情報が読み取られ、第２の光学ユニット２２で原稿の上向きの面（５ページ）の画像情報が読み取られる（ステップＳ４４）。
【００５２】
読み取られた原稿画像情報は、画像形成装置１に転送され（ステップＳ４５）、まず最初に第１の光学ユニット２１で読み取った原稿の下向きの面（６ページ）の画像情報が記録紙上に形成され、該記録紙が両面給紙部で表裏反転されて再度給紙されて、第２の光学ユニット２２で読み取った原稿の上向きの面（５ページ）の画像情報が記録紙上に形成されて排紙トレイ１１３上に排出される（ステップＳ４６）。
【００５３】
続いて、次の原稿がピックアップされて原稿読取位置に搬送され、同様に読み取られて４ページ目、３ページ目が同一記録紙の表裏に印字されて排紙トレイ１１３上に排出される。同様にして、２ページ、１ページも同一記録紙の表裏に印字されて排紙トレイ１１３上に排出される（ステップＳ４７）。
【００５４】
こうしてコピーされた３枚の印字紙は、図１２に示すように、最上面が１ページ目で順に１ページ目から６ページ目までページ順に正しく並んで排紙トレイ１１３上に積載される。
【００５５】
Ｖ．両面原稿を読み取ってネットワークを介して配信する場合の動作
次に、ＡＤＦに３枚の両面原稿をセットし、この６ページを読み取って読み取った画像情報を電子ファイルとしてネットワークを介してＰＣに配信する場合について説明する。
【００５６】
ユーザは、図７（ａ），（ｂ）に示す操作パネル３上のドキュメント配信モード指定キー３０４を押下し、ＭＦＰ装置のモードをドキュメント配信モードに指定する（ステップＳ４１）。ドキュメント配信モードが指定されると、現在のモードがドキュメント配信モードであることが表示部３０１上に表示される。それと共に、ＡＤＦを用いる場合には原稿を裏向き（下向き）にセットする案内が表示部３０１に表示される（ステップＳ５０）。このときの操作パネル３の表示状態を図７（ｂ）に示す。
【００５７】
配信先のアドレスが表示部３０１上に設けられたタッチパネルから入力され、原稿がＡＤＦにセットされてスタートキー３０５が押下されると、ＡＤＦの最下部の原稿がピックアップされて原稿読取位置に搬送され、第１の光学ユニット２１で原稿の下向きの面（１ページ目）の画像情報が読み取られ、第２の光学ユニット２２で原稿の上向きの面（２ページ目）が読み取られる（ステップＳ５２）。最初の原稿の読み取りが終了すると、続いて、２枚目、３枚目の原稿が給紙されて、同様に順次読み取られる（ステップＳ５３）。
【００５８】
このように読み取られた画像情報は、第１の光学ユニット２１で読み取られた画像情報が先に、第２の光学ユニット２２で読み取られた画像情報をその次に並べて電子ファイル情報としてネットワークを介して配信先アドレスで指定したＰＣへ配信される（ステップＳ５４，Ｓ５５）。このとき、読み取られた原稿画像のイメージファイルは１ページ目から６ページ目まで正しい順に並んでいる。
【００５９】
このように本実施形態では、電子情報での出力、あるいは紙での出力のどちらでもページ順通りに出力することができる。
【００６０】
なお、本実施形態では、ドキュメント配信をネットワークを介してＰＣに対して行うものとして説明したが、電話回線を利用したＦＡＸ機能でドキュメント配信することもできる。また、本実施形態では、原稿を下から順にピックアップする構成のＡＤＦで説明したが、上から順にピックアップする構成のＡＤＦでも、同様にページ順に出力が得られるように原稿読取面を選択する構成すればよい。
【００６１】
［第２実施形態］
図１３は、本発明の第２実施形態に係る画像読取装置の構成を示す外観平面図である。
【００６２】
本実施形態では、ＡＤＦにセットする原稿の読取面を案内表示するための表示部９０１が原稿設置台２６上に設けられており、この点が上記第１実施形態の構成と異なっている。
【００６３】
前記表示部９０１の詳細図を図１４（ａ），（ｂ）に示す。本表示部９０１は、原稿表向きのパターンと原稿裏向きのパターンとが形成されており、これらのパターンは、各々のパターンの裏に配置された光源により個別に照明することができるようになっている。
【００６４】
＜第２実施形態の動作＞
Ｉ．片面原稿を読み取って記録紙にコピーする場合の動作
今、ＡＤＦを用いて３枚の片面原稿を読み取って記録紙にコピーする場合を想定する。
【００６５】
ユーザは、図７（ａ），（ｂ）に示す操作パネル３上のコピーモード指定キー３０２を押下し、ＭＦＰ装置のモードをコピーモードに指定する。コピーモードが指定されると、現在のモードがコピーモードであることが表示部３０１上に表示される。それと共に、ＡＤＦ原稿設置台２６上の表示部９０１における原稿表向きパターンの裏に配置された光源はオンし、原稿裏向きパターンの裏に配置された光源はオフし、図１４（ａ）に示すように、原稿を表向きにセットするように案内される。原稿がＡＤＦにセットされてスタートキー３０５が押下された後の動作は第１実施形態と同様である。
【００６６】
ＩＩ．片面原稿を読み取ってネットワークを介して配信する場合の動作
次に、ＡＤＦによって３枚の片面原稿を読み取って、読み取った画像情報を電子ファイルとしてネットワークを介してＰＣに配信する場合について説明する。
【００６７】
ユーザは、図７（ａ），（ｂ）に示す操作パネル３上のドキュメント配信モード指定キー３０４を押下し、ＭＦＰ装置のモードをドキュメント配信モードに指定する。ドキュメント配信モードが指定されると、現在のモードがドキュメント配信モードであることが表示部３０１上に表示される。それと共に、ＡＤＦ原稿設置台２６上の表示部９０１における原稿表向きパターンの裏に配置された光源はオフし、原稿裏向きパターンの裏に配置された光源はオンし、図１４（ｂ）に示すように、原稿を裏向きにセットするよう案内される。
【００６８】
配信先のアドレスが表示部３０１上に設けられたタッチパネルから入力され、原稿がＡＤＦにセットされてスタートキー３０５が押下されされた後の動作は第１実施形態と同様である。
【００６９】
このように本を実施形態では、指定されたモードに応じて、表示部９０１には、ＡＤＦにセットする原稿のセット向きが案内表示されるので、ユーザは、読み取り原稿を正確にページ順通りに出力することができる。
【００７０】
なお、本実施形態では、原稿のセット向きを示すパターンの裏から光源をオン、オフすることで、表向き／裏向きを表示したが、ＬＣＤのような表示装置を用いてもよい。
【００７１】
［第３実施形態］
図１５は、本発明の第３実施形態に係る画像読取装置の構成を示す外観平面図である。
【００７２】
本実施形態では、ＡＤＦにセットする原稿の読取面を案内表示するための表示部９０１がＡＤＦ給紙部２９上に設けられており、この点が第２実施形態の構成と異なる。
【００７３】
本実施形態の表示部９０１は、上記第１実施形態と同様に、原稿表向きのパターンと原稿裏向きのパターンとが形成されており、各々のパターンの裏に配置された光源により個別に照明することができるようになっている。原稿がＡＤＦにセットされてスタートキー３０５が押下された後の動作は第２実施形態と同様である。
【００７４】
本実施形態では、原稿を原稿設置台２６にセットしても表示部９０１は原稿に隠れることがないため、原稿をセットした後にも、原稿の向きが正しいかチェックすることができる。
【００７５】
［第４実施形態］
図１６は、本発明の第４実施形態に係る画像読取装置を搭載したＭＦＰ装置の概略構成を示す概観図である。
【００７６】
本実施形態のＭＦＰ装置の構成は、画像読取装置の構造が図１に示した構成と異なる。すなわち、本実施形態の画像形成装置１Ａでは、フェースアップ排紙とフェースダウン排紙の選択が可能に構成され、フェースアップ排紙が選択されている場合は、記録紙をフェースアップ排紙トレイ１１３上に排紙し、フェースダウン排紙が選択されている場合には、記録紙をフェースダウン排紙トレイ１４５上に排紙するようになっている。
【００７７】
図１７は、図１６に示した画像形成装置１Ａの構成を示す断面図であり、同図を用いて画像形成装置１Ａの構成及び動作の概要について説明する。なお、図４と共通の要素には同一の符合し、その説明を省略する。
【００７８】
片面のみの印字及び両面印字の２面目の印字動作を行う場合は、フラッパ１２２が図中実線で示された位置に制御されて、定着器１２６を通過した記録紙が排紙ローラ対１１２に導かれる。フェースアップ排紙が選択されている場合は、フラッパ１４１が図中実線で示された位置に制御されて、記録紙がフェースアップ排紙トレイ１１３上に排紙する。
【００７９】
一方、フェースダウン排紙が選択されている場合には、フラッパ１４１が図中点線で示された位置に制御されて、記録紙を搬送ローラ１４２、１４３に導き、搬送ローラ１４３で搬送された記録紙は排紙ローラ１４４でフェースダウン排紙トレイ１４５上に排紙される。
【００８０】
定着器１２６を通過して両面にトナー像が形成固着された記録紙は、フラッパ１２２が図中実線で示された位置に制御されて、排紙ローラ対１１２に導かれる。排紙ローラ対１１２によって搬送された記録紙は、前述の片面印字の排紙動作と同じように、フェースアップ排紙の場合はフェースアップ排紙トレイ１１３上に排紙され、フェースダウン排紙の場合はフェースダウン排紙トレイ１４５に排出される。
【００８１】
＜第４実施形態の動作＞
次に、本実施形態に関わる動作について説明する。
【００８２】
今、ＡＤＦに３枚の片面原稿をセットし、これを読み取って記録紙に片面コピーする場合を想定する。
【００８３】
ユーザは、図１８（ａ），（ｂ），（ｃ）に示す操作パネル３上のモード設定キー４０３を何回か押下し、片面原稿から片面へのコピーモードを選択する。モード設定キー４０３は押下する度に片面原稿から片面へのコピー、片面原稿から両面へのコピー、両面原稿から片面へのコピー、両面原稿から両面へのコピーのモードにエンドレスに変化する。
【００８４】
片面原稿から片面へのコピーモードでは、原稿セット向きは原稿表向き、排紙口はフェースアップにデフォルトで設定されており、これらの設定状況が図１８（ａ）に示すように、表示部３０１上に表示される。この設定のままでよい場合には、原稿を表向きにＡＤＦにセットしてスタートキー３０５を押下すると、ＡＤＦの最下部の原稿がピックアップされて原稿読取位置に搬送され、第２の光学ユニット２２で原稿の上向き面の画像情報が読み取られる。最初の原稿の読み取りが終了すると、続いて、２枚目、３枚目の原稿が給紙されて、同様に順次読み取られる。このときの原稿の積載状態と読取順番は、前述の図８（ａ）で説明した通りである。
【００８５】
読み取られた原稿画像情報は、画像形成装置１に転送され、まず最初に３ページ目の原稿画像情報が記録紙上に形成され、印字面が上を向いて排紙トレイ１１３上に排出される。続いて、２ページ目の原稿画像情報が記録紙上に形成され、同様に、排紙トレイ１１３上にすでに排出されている３ページ目の原稿画像情報がコピーされた記録紙の上に排出される。同様に１ページ目の原稿画像情報が記録紙上に形成され、排紙トレイ１１３上にすでに排出されている２ページ目の原稿画像情報がコピーされた記録紙の上に排出される。
【００８６】
こうしてコピーされた印字紙は、図９（ｂ）に示すように、印字面が上を向き、上から順に１ページ、２ページ、３ページとページ順に正しく並んで排紙トレイ１１３上に積載される。
【００８７】
原稿を下向きにセットして読み取りたい場合には、ＡＤＦセット向き設定キー４０２を押下して、原稿裏向きを選択する。原稿の設置向きはＡＤＦセット向き設定キー４０２を押下する度に、原稿表向き／原稿裏向きの設定がトグルするようになっている。このときの表示部３０１の表示状態を図１８（ｂ）に示す。
【００８８】
原稿を裏向きにセットして読み取ってフェースアップ排紙トレイ１１３にコピーした記録紙を排出すると、原稿のページ順が逆になるため、表示部３０１に表示される排出原稿のページ順が図１８（ａ）に示すものとは逆になって表示される。
【００８９】
コピーされた記録紙のページ順を原稿と同じに揃えたい場合には、排紙向き設定キー４０４を押下し、フェースダウン排紙を選択する。排紙口は排紙口設定キー４０４を押下する度に、フェースダウン排紙口、フェースアップ排紙口がトルグで選択できるようになっている。このときの表示部３０１の表示状態を図１８（ｃ）に示す。
【００９０】
その後、原稿を裏向きにＡＤＦにセットし、スタートキー３０５を押下すると、ＡＤＦの最下部の原稿がピックアップされて原稿読取位置に搬送され、第１の光学ユニット２１で原稿の下向き面の画像情報が読み取られる。最初の原稿の読み取りが終了すると、続いて、２枚目、３枚目の原稿が給紙されて、同様に順次読み取られる。このときの原稿の積載状態と読取順番は、前述の図８（ｂ）で説明した通りである。
【００９１】
読み取られた原稿画像情報は、画像形成装置１に転送され、まず最初に１ページ目の原稿画像情報が記録紙上に形成され、印字面が下を向いてフェースダウン排紙トレイ１４５に排出される。続いて、２ページ目の原稿画像情報が記録紙上に形成され、同様に、フェースダウン排紙トレイ１４５上にすでに排出されている１ページ目の原稿画像情報がコピーされた記録紙の上に排出される。同様に３ページ目の原稿画像情報が記録紙上に形成され、フェースダウン排紙トレイ１４５上にすでに排出されている２ページ目の原稿画像情報がコピーされた記録紙の上に排出される。
【００９２】
こうしてコピーされた印字紙は、図１９に示すように、印字面が下を向き、下から順に１ページ、２ページ、３ページとページ順に正しく並んでフェースダウン排紙トレイ１４５上に積載される。
【００９３】
このように本実施形態では、ユーザが好みの向きで原稿をセットして読み取ることができ、かつ片方の読取手段が故障した場合にも、故障していない方の読取手段で読み取りを行うことができ、ユーザビリティに優れた画像読取装置及びＭＦＰ装置を実現することが可能になる。
【００９４】
［第５実施形態］
本実施形態では、前述した図１６、図１７及び図１８に示す構成において、図１３及び図１４に示すように、ＡＤＦにセットする原稿の読取面を案内表示するための表示部９０１を原稿設置台２６上に設けた点が特徴である。すなわち、本実施形態の表示部９０１は、前述した第２実施形態と同様に、光源により個別に照明することができる原稿表向きのパターンと原稿裏向きのパターンが形成されている。
【００９５】
＜第５実施形態の動作＞
今、ＡＤＦに３枚の片面原稿をセットし、これを読み取って記録紙に片面コピーする場合を想定する。
【００９６】
ユーザは、図１８に示す操作パネル３上のモード設定キー４０３を何回か押下し、片面原稿から片面へのコピーモードを選択する。片面原稿から片面へのコピーモードでは原稿セット向きは原稿表向き、排紙口はフェースアップにデフォルトで設定されており、これらの設定状況が図１８（ａ）に示すように、表示部３０１上に表示される。
【００９７】
また、ＡＤＦ原稿設置台２６上の表示部９０１における原稿表向きのパターンが、該パターンの裏に配置された光源により照明され、原稿を表向きにセットする設定であることを示す。このとき、図１４（ａ）に示すように、原稿裏向きのパターンの裏に配置された光源はオフされている。
【００９８】
この設定のままでよい場合には、原稿を表示部９０１の表示に合わせて表向きにＡＤＦにセットしてスタートキー３０５を押下すると、ＡＤＦの最下部の原稿がピックアップされて原稿読取位置に搬送され、第２の光学ユニット２２で原稿の上向き面の画像情報が読み取られる。最初の原稿の読み取りが終了すると、続いて２枚目、３枚目の原稿が給紙されて、同様に順次読み取られる。読み取られた原稿画像情報は画像形成装置１に転送され、第４実施形態と同様にしてコピーされる。
【００９９】
原稿を下向きにセットして読み取りたい場合には、ＡＤＦセット向き設定キー４０２を押下して、原稿裏向きを選択する。原稿裏向きを選択すると，ＡＤＦ原稿設置台２６上における表示部９０１の原稿表向きパターンの裏に配置された光源がオフされて、原稿裏向きのパターンの裏に配置された光源はオンされて、原稿裏向きが選択されていることを、図１４（ｂ）に示すように明示する。
【０１００】
一方、原稿を表示部９０１の表示に合わせて裏向きにＡＤＦにセットしてスタートキー３０５を押下すると、ＡＤＦの最下部の原稿がピックアップされて原稿読取位置に搬送され、第１の光学ユニット２１で原稿の下向き面の画像情報が読み取られる。最初の原稿の読み取りが終了すると、続いて２枚目、３枚目の原稿が給紙されて、同様に順次読み取られる。読み取られた原稿画像情報は、画像形成装置１に転送され、第４実施形態と同様にしてコピーされる。
【０１０１】
このように本実施形態では表示部９０１には、ＡＤＦにセットする原稿のセット向きが案内表示されるので、ユーザは、読み取り原稿を正確にページ順通りに出力することができる。
【０１０２】
［第６実施形態］
本実施形態は、前述した図１６、図１７及び図１８に示す構成において、図１５に示すように、ＡＤＦにセットする原稿の読取面を案内表示するための表示部９０１をＡＤＦ給紙部２９上に設けた構成である。原稿がＡＤＦにセットされてスタートキー３０５が押下された後の動作は第５実施形態と同様である。
【０１０３】
本実施形態では、前述した第３実施形態と同様に、原稿を原稿設置台２６にセットしても表示部９０１は原稿に隠れることがないため、原稿をセットした後にも、原稿の向きが正しいかをチェックすることができる。
【０１０４】
本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体に格納されたプログラムコードを読み出し実行することによっても、完成されることは言うまでもない。
【０１０５】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【０１０６】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【０１０７】
【発明の効果】
以上詳細に説明したように本発明によれば、複数枚の原稿を読み取り、読み取った読取画像情報を出力する場合に、電子情報での出力、あるいは紙などの記録媒体での出力等、どのような出力形態でも、ページ順通りに出力することが可能になる。
【図面の簡単な説明】
【図１】本発明の第１実施形態に係る画像読取装置を搭載したＭＦＰ装置の概略構成を示す概観図である。
【図２】図１に示した画像読取装置２の構成を示す断面図である。
【図３】図２に示した光学ユニット２１または２２の内部構造を示す断面図である。
【図４】図１に示した画像形成装置１の概略構成を示す断面図である。
【図５】第１実施形態の動作を示すフローチャートである。
【図６】図５の続きのフローチャートである。
【図７】図１に示したＭＦＰ装置の操作パネルの外観を示す図である。
【図８】第１実施形態における原稿の積載状態と読取順番を説明する説明図である。
【図９】読み取り原稿画像のイメージファイルの読取順番を説明する説明図である。
【図１０】図９に示したイメージファイルのコピー印字紙の積載状態を示す図である。
【図１１】第１実施形態における原稿の積載状態を説明する説明図である。
【図１２】図１１に示した原稿のコピー印字紙の積載状態を示す図である。
【図１３】本発明の第２実施形態に係る画像読取装置の構成を示す外観平面図である。
【図１４】表示部９０１の詳細図である。
【図１５】本発明の第３実施形態に係る画像読取装置の構成を示す外観平面図である。
【図１６】本発明の第４実施形態に係る画像読取装置を搭載したＭＦＰ装置の概略構成を示す概観図である。
【図１７】図１６に示した画像形成装置１Ａの構成を示す断面図である。
【図１８】図１６に示したＭＦＰ装置の操作パネルの外観を示す図である。
【図１９】第４実施形態に係る原稿のコピー印字紙の積載状態を示す図である。
【符号の説明】
１  画像形成装置
２  画像読取装置
３  操作パネル
２１  第１の光学ユニット
２２  第２の光学ユニット
２５  原稿台ガラス
２６  原稿設置台
２７  制御基板
２９  給紙部
３９  ＣＣＤ
３０１  表示部
３０２  コピーモードキー
３０３  スキャナモードキー
３０４  ドキュメント配信モードキー
【図１】
2004320224.tif 000003
【図２】
2004320224.tif 000004
【図３】
2004320224.tif 000005
【図４】
2004320224.tif 000006
【図５】
2004320224.tif 000007
【図６】
2004320224.tif 000008
【図７】
2004320224.tif 000009
【図８】
2004320224.tif 000010
【図９】
2004320224.tif 000011
【図１０】
2004320224.tif 000012
【図１１】
2004320224.tif 000013
【図１２】
2004320224.tif 000014
【図１３】
2004320224.tif 000015
【図１４】
2004320224.tif 000016
【図１５】
2004320224.tif 000017
【図１６】
2004320224.tif 000018
【図１７】
2004320224.tif 000019
【図１８】
2004320224.tif 000020
【図１９】
2004320224.tif 000021